(57)【特許請求の範囲】
【請求項１】
ダイカストマシン本体上部に配設した取付台に搭載され、前記ダイカストマシンの射出プランジャを含む射出装置側上方及び一対の対向配置された金型を含む型締装置側上方を覆うミスト用のフードであって、同フードは、前記ダイカストマシンの操作側及び反操作側の外側壁ならびに型締装置側の外側壁とは別に前記各外側壁と所定の間隔を設けて対向配置した内側壁を有する2重構造とし、その内側壁と外側壁の間をミスト通路として形成したことを特徴とするダイカストマシン用ミスト専用通路を備えたフード。
【請求項２】
請求項１において、前記操作側及び反操作側の外側壁に対向する内側壁の上端部にはミストの吸引口を形成し、さらに、外側壁には隣接して配設されるミストコレクタへのミスト供給口を形成したことを特徴とするダイカストマシン用ミスト専用通路を備えたフード。
【請求項３】
請求項１または２において、前記操作側及び反操作側の外側壁に対向する内側壁の上端部にはミストの吸引口を形成し、さらに、前記型締装置側の外側壁には隣接して配設されるミストコレクタへのミスト供給口を形成したことを特徴とするダイカストマシン用ミスト専用通路を備えたフード。
【請求項４】
請求項１、２または３において、前記ミスト用のフードの上面外壁に所定の間隔を設けて対向配置した上面内壁をさらに設け、同上面内壁にミストの吸引口を形成したことを特徴とするダイカストマシン用ミスト専用通路を備えたフード。
【請求項５】
請求項１、２、３または４において、前記ミスト用のフードは主として前記射出プランジャ近傍からのミストを吸引する固定フード部と、同固定フード部と接離可能且つ前記取付台上で移動可能に搭載され、主として前記型締装置側からのミストを吸引する移動フード部とからなるよう構成したことを特徴とするダイカストマシン用ミスト専用通路を備えたフード。
【請求項６】
請求項５において、前記移動フード部にはミストコレクタを搭載する取付部を設けたことを特徴とするダイカストマシン用ミスト専用通路を備えたフード。
【発明の詳細な説明】
【０００１】
【発明の属する技術分野】
本発明は、ダイカストマシン用のミストフードに係り、特にミストコレクタをそのフードに隣接配置可能とするミスト専用通路を備えたフードに関する。
【０００２】
【従来の技術】
ダイカストマシンを稼動するときは成形品を毎回、金型から取り出した後に金型のキャビティ面をエアー等で清浄にし、さらに次回の成形品取り出しをスムーズに行うためそこへ離型剤をスプレーする。
【０００３】
また、射出プランジャは次回の射出動作のため射出スリーブの後方待機位置にあるときその射出プランジャの周囲に潤滑剤をスプレーする。これらスプレーがなされた直後には射出プランジャの近傍上方や離隔された一対の金型の近傍即ち、型締装置側の上方は前記離型剤や潤滑剤がミスト状となる。
又、ときには高温度の射出プランジャ等から発火したミストの火炎が近傍に広がることもある。
【０００４】
こうしたミストの発生は毎ショットごと繰り返されるためダイカストマシン近傍の環境や安全性を非常に悪くする。
このため、以前は大容量の電気集塵機をダイカストマシンを設置している工場内に設けてミスト等を集塵することが行われることもあったが、一旦大気中に拡散したミスト等を集塵する方式では作業環境自体をより良くする点で限界があり又、集塵機の容量の点でも問題があったため、現在では大気中に飛散させないでミスト等を回収するようになっている。
【０００５】
現在行われているミストの回収方式では、ダイカストマシンの型締装置や射出プランジャのある射出装置側の上部を覆うミスト用のフードを配設し、そのフードからダクトを介してダイカストマシン本体の近くに配置されたミストコレクタへ導くようにしている。この場合、ミスト用のフードは下方から上昇してくるミストを外部へ広がらないようにし、ダクトの方へと誘導するようになっており1重構造の側壁及び上面壁で形成されるものである。
しかしながら、この方式では、ミストコレクタの設置スペースがダイカストマシン近くに必要となり、又ダクト配設上のスペースも必要であってダイカストマシン本体の周辺を錯綜させる原因となっており、例えば、製品取り出し装置用ロボットの作業範囲や、横方向からの金型の搬入搬出装置との干渉の問題がある。
【０００６】
一方、ミストコレクタを前記フードに隣接してダイカストマシン本体の上方に設置できればダクトは不要となりスペース上の問題は解決可能ではあるが、このようにダクトを撤去するとフード内部とミストコレクタとが直結するため、フード内で高温のミストに引火した状態でその火炎がミストコレクタ内にも侵入し、ミストコレクタ自体が火災を起こし大事故につながる可能性がある。
【０００７】
このような事情があるため結局は、火炎がミストコレクタにまで到らないようダクトをある長さ以上となるように配設しなければならず、従って、ミストコレクタをダイカストマシン本体の上部へ配設することもできなかった。
【０００８】
【発明が解決しようとする課題】
本発明者等は上述した問題を鋭意検討した結果、フード内で前記火炎が発生してもその火炎が最悪でもミストコレクタの吸入口にまで到らないようフード内に火炎遮断機能を有するミスト専用の通路を形成することによって前記問題が解決できることを突き止めた。
従って、本発明の目的は、ダイカストマシン本体の上方にミスト用フードに隣接してミストコレクタを配置可能であって、ダクトを必要とせず、且つフード内で火炎の発生が遮断されミストコレクタに到らないようにしたダイカストマシンのミスト用フードを提供することにある。
【０００９】
【課題を解決するための手段】
上記目的を達成するため、本発明によるダイカストマシンのミスト用フードは、
ダイカストマシン本体上部に配設した取付台に搭載され、前記ダイカストマシンの射出プランジャを含む射出装置側上方及び一対の対向配置された金型を含む型締装置側上方を覆うミスト用フードであって、同フードは、前記ダイカストマシンの操作側及び反操作側の外側壁ならびに型締装置側の外側壁とは別に前記各外側壁と所定の間隔を設けて対向配置した内側壁を有する2重構造とし、その内側壁と外側壁の間をミスト通路として形成したことを構成上の特徴とするものである。
【００１０】
その際、好ましくは、前記操作側及び反操作側の外側壁に対向する内側壁の上端部にはミストの吸引口を形成し、外側壁には、さらに、前記型締装置側の外側壁には隣接して配設されるミストコレクタへのミスト供給口を形成することもできる。
さらに又、前記ミスト用のフードは主として前記射出プランジャ近傍からのミストを吸引する固定フード部と、同固定フード部と接離可能且つ前記取り付け台上で移動可能に搭載され、主として前記型締装置側からのミストを吸引する移動フード部とからなるよう構成されることができる。
その場合、前記移動フード部にはミストコレクタを搭載する取付部を設けることも可能である。
【００１１】
射出プランジャや金型の近傍で生成されたミストはフード内部を上昇してフード上部の内側壁に設けた吸引口から吸引される。この吸引口の内部は外側壁と内側壁で形成された層状のミスト通路となっており同ミストは少なくとも１箇所以上の角部を経由してミストコレクタへの供給口に導かれるようになっている。
このようなミスト専用の層状通路は前記フード内部より温度も低く空気の補給がされにくいので仮令、吸引口に火炎が達してもそれが層状通路内に広がって前記供給口にまで到ることはない。即ち、構造上、火炎の遮断機能を有するのである。
【００１２】
【発明の実施の形態】
以下、本発明の実施の形態に基づく１実施例について図面を参照して詳細に説明する。
図１は横射出、横型締方式のダイカストマシン本体の上方に配設された本発明によるミスト用のフードを、ダイカストマシンの操作側から見た正面図である。同図１において、参照番号１０は、前記ダイカストマシンのベースであって、同ベース１０上には型締装置が取付けられ、その右方には射出装置１２が配設されている。前記型締装置は、固定ダイプレート１６、移動ダイプレート２２、リンクハウジング２８および移動ダイプレート２２を進退せしめるトグル機構２６ならびにその進退用のシリンダ２４、タイバー２５等を備えている。参照番号１８、２０はそれぞれ固定金型、移動金型である。
【００１３】
前記固定ダイプレート１６にはコの字形をしたCフレーム１７が固定結合されており、射出装置１２からカップリングを介して伸びる射出プランジャ１４がCフレーム１７と固定ダイプレート１６の間に配置され射出スリーブ１５内へその先端部が摺動可能に挿入されている。
参照番号３２は先端部にスプレーヘッド３４を取付けたスプレー装置でCフレーム１７上面に支柱を介して搭載され、上下及びその支柱の周りで回転可能に移動できるようになっている。
【００１４】
参照番号３０はミスト用フードの取付台であって、その左右端部に一点鎖線で示した支柱により水平方向に支持されている。参照番号３６、３８はそれぞれ固定フード部、移動フード部であって、図１ではその内部が示されている。
固定フード部３６は、ほぼ射出プランジャ１４の上方に配置されており射出プランジャ１４付近で形成されたミストは矢印で示すように固定フード部３６内部を上昇して上方の吸引口４２へ吸い込まれるようになっている。同様にして、一対の離隔した金型近傍にて形成されたミストは矢印で示すように移動フード部３８内部を上昇して上方の吸引口４２へ吸い込まれるようになっている。
【００１５】
固定フード部３６は取付台３０又は固定ダイプレート１６ないしはCフレーム１７上に固定されている。一方、移動フード部３８はその下部側面に取付けたローラ３９により取付台３０上で水平方向に移動できるように構成されている。
参照番号４０は移動フード部３８と一体に形成された取付部であって、その上にはミストコレクタ４６が搭載固定されている。参照番号４４は移動フード部３８とミストコレクタ４６との接続部である。参照番号４８はミストコレクタ４６内部でミスト処理された後の空気の排気口である。又、符号Lは固定フード部３６と移動フード部３８の境界線を示す。
【００１６】
図２は図１のA-A線に沿って見た平面図である。同図２に示すように、固定フード部３６の操作側及び反操作側の外側壁３６Aに対し所定の間隔をもって内側壁３６Bが対向して配設されている。
同様にして、移動フード部３８の方にも操作側及び反操作側の外側壁３８Aに対し所定の間隔をもって内側壁３８Bが対向して配設されている。さらに又、移動フード部３８の形締装置側の外側壁３８Cに対し所定の間隔をもって内側壁３８Dが対向して配設されている。
外側壁３８Cのほぼ中央部には隣接しているミストコレクタ４６へのミスト供給口が形成されている。
【００１７】
図２に示すように、外側壁３６A、３８Aと内側壁３６B、３８Bによって比較的薄い層状の空間が形成される。各内側壁３６B、３８Bの上端部には図１に示すように、ミストMの吸引口４２が3箇所形成されている。ミストMは図示の如く側壁３６A、３６B及び３８A、３８Bの間の上部に形成された通路を通って角部Zに到り、ここから側壁３８C、３８Dで形成された通路を通って接続部４４に到りミストコレクタ４６内へ吸引されるようになっている。なお、内側壁３６B、３８B、３８Dは必ずしもそれらが対向する外側壁３６A、３８A、３８Cのほぼ全面に亘って形成される必要はなくミストMの通路に対応する部分にのみ内側壁を形成してもよい。
【００１８】
しかし、実際の製作に際しては、ミストコレクタ４６の吸引力を大幅に損なわない範囲で、各内側壁に仕切り板あるいは邪摩板を適宜配置固定して外側壁との間に、種々のミスト通路を形成することも可能である。
例えば、図２の角部Zにおいて破線で示す垂直方向の仕切り板を配置し、側壁３８A、３８Bの間の上部において右方からくるミストMを一旦下方のミストコレクタ４６の供給口位置まで導くようにすることもできる。さらに又、図示しないが、ミスト用フードの上面に対向する上面内側壁を設けその面に吸引口を形成して同吸引口からのミストを一旦側壁３８A、３８Bで形成される上部通路へ誘導させるよう通路を形成してもよい。
【００１９】
このようにミストMの通路を外側壁と内側壁との間で形成される比較的温度が低く薄い層によって形成し、このような層状通路において少なくとも1ヶ所以上ミスト通路の角部を吸引口とミストコレクタ４６への供給口との間に設けることにより火炎の遮断機能をもたせることが可能となるのである。その場合、前記層状通路近傍を冷却水等で冷却すればミストの温度を低下せしめるのでさらに遮断機能を向上させることができる。
さらに、上述した図１、図２に示した例ではミスト用フードは一体型ではなく、接離可能な固定フード部３６と移動フード部３８を備えるようにしているが、その理由は金型の交換を上方から行う場合や、スプレー装置３２のメンテナンスのため等である。しかし、こうした点をクリアすべくクレーンで一体型のフードを吊り上げて他の場所へ移動させることも可能である。
【００２０】
【発明の効果】
本発明によるミスト用フードは、ダイカストマシンの操作側及び反操作側の外側壁ならびに型締装置側の外側壁とは別に前記各外側壁と所定の間隔を設けて対向配置した内側壁を有する2重構造とし、その内側壁と外側壁の間の比較的狭い層状の空間をミスト通路として利用するようになっているので火炎に対する遮断機能を有しており、ミストコレクタをダイカストマシン本体上方に位置するミスト用フードに隣接して配置することができ、従来のようなダクトを必要とせず、又ダイカストマシン本体周辺部にミストコレクタを設置する必要もないのでスペース上の問題も解決できる等の効果を奏する。
【図面の簡単な説明】
【図１】横射出、横型締方式のダイカストマシン本体の上方に配設された本発明によるミスト用フードを、ダイカストマシンの操作側から見た正面図である。
【図２】図1のA−A線に沿って見たミスト通路の平面図である。
【符号の説明】
１０        ベース
１２        射出装置
１４        射出プランジャ
１５        射出スリーブ
１６        固定ダイプレート
１７        Cフレーム
１８        固定金型
２０        移動金型
２２        移動ダイプレート
２４        シリンダ
２５        タイバー
２６        トグル機構
２８        リンクハウジング
３０        取付台
３２        スプレー装置
３４        スプレーヘッド
３６        固定フード部
３６A、３８A、３８C        外側壁
３６B、３８B、３８D        内側壁
３９        ローラ
４０        取付部
４２        吸引口
４４        接続部
４６        ミストコレクタ
４８        排出口
L        境界線
M        ミスト
Z        角部
【図１】
0003763779.tif 000002
【図２】
0003763779.tif 000003